(57)【要約】【課題】ラインメモリの容量を削減すると共に、映像品位を落とすことなく複数チャンネルの映像を同一画面に表示することが可能な映像信号表示装置を提供する。【解決手段】複数の入力部１００、１０５に入力された複数チャンネルの映像信号及び、スケーリング処理部１０３２、１０７２において映像信号処理された複数の映像信号を、複数チャンネルで共有可能なラインメモリ１０２に割り当てて、映像品位に関わる複数の映像信号を記憶する。この割り当て後に前記ラインメモリ１０２に残領域があり且つ、この残領域が付加機能処理部１０３１、１０７１において付加機能処理した複数の映像信号を記憶可能な容量を有する場合には、前記残容量を前記付加機能処理部１０３１、１０７１に対して割り当て、付加機能処理を行った映像信号を前記ラインメモリ１０２に記憶する。【選択図】図１
2007286167.tif 000002
【特許請求の範囲】
【請求項１】
複数チャンネルの映像信号が入力される複数の入力部と、
前記複数の入力部に入力された複数チャンネルの映像信号に対して、各々、映像信号処理及び少なくとも１つの付加機能処理を行う複数の映像信号処理部と、
前記複数の入力部に入力された各チャンネルの映像信号及び、前記複数の映像信号処理部で処理された各チャンネルの映像信号を記憶し、前記複数チャンネルで共有される記憶部と、
少なくとも１チャンネルの映像を出力する表示部と、
前記入力部、前記映像信号処理部、前記記憶部、及び前記表示部を制御する制御部とを備え、
前記制御部は、
前記記憶部を映像信号処理に対して割り当て、この割り当て後に前記記憶部に残領域があり且つこの残領域が前記付加機能処理を行うために必要な残領域以上のとき、前記記憶部を付加機能処理に対して割り当てる
ことを特徴とする映像信号表示装置。
【請求項２】
前記制御部は、付加機能のオン、オフを切り換えることができ、
前記映像信号処理部は、付加機能がオフの場合は付加機能処理を行わない
ことを特徴とする請求項１に記載の映像信号表示装置。
【請求項３】
前記制御部は、付加機能がオンの場合は付加機能処理に対して前記記憶部を割り当て、付加機能がオフの場合は付加機能処理に対して前記記憶部を割り当てない
ことを特徴とする請求項２に記載の映像信号表示装置。
【請求項４】
前記制御部は、モード切り換え時に、前記記憶部を映像信号処理に対して再割り当てを行い、付加機能処理を行うために必要な残領域があれば、前記記憶部を付加機能処理に対して割り当てる
ことを特徴とする請求項３に記載の映像信号表示装置。
【請求項５】
前記制御部は、モード切り換え時に、付加機能を一時的にオフにする
ことを特徴とする請求項４に記載の映像信号表示装置。
【請求項６】
前記制御部は、モード切り換え時に、全てのチャンネルにおける付加機能用の前記記憶部を解放し、解放が完了した時点で、全てのチャンネルにおいて映像信号処理用の前記記憶部の再割り当てを行い、再割り当てが完了した時点で、付加機能処理を行うために必要な残領域があれば、前記記憶部を付加機能処理に対して割り当てる
ことを特徴とする請求項５に記載の映像信号表示装置。
【請求項７】
前記制御部は、映像信号の入力がないチャンネルにおける前記記憶部を全て解放する
ことを特徴とする請求項４に記載の映像信号表示装置。
【請求項８】
前記制御部は、付加機能処理用の前記記憶部の領域が不足している場合、付加機能をオフにする
ことを特徴とする請求項３に記載の映像信号表示装置。
【請求項９】
前記制御部は、付加機能処理用の前記記憶部の領域が不足しているかどうかを入出力の映像フォーマットによって判断する
ことを特徴とする請求項８に記載の映像信号表示装置。
【請求項１０】
前記映像信号処理部は、スケーリング処理及び少なくとも１つの付加機能処理を行う
ことを特徴とする請求項１、５、７、８の何れか一項に記載の映像信号表示装置。
【請求項１１】
前記記憶部は、ラインメモリによって構成される
ことを特徴とする請求項１、５、７、８の何れか一項に記載の映像信号表示装置。
【請求項１２】
前記入力部は、入力された映像信号を記憶する第１のフレームメモリを備える
ことを特徴とする請求項１、５、７、８の何れか一項に記載の映像信号表示装置。
【請求項１３】
前記表示部は、映像信号処理後の映像信号を記憶する第２のフレームメモリを備える
ことを特徴とする請求項１２に記載の映像信号表示装置。
【請求項１４】
各チャンネルの映像信号処理のタイミングを生成する複数のシンク生成部をさらに備え、
前記制御部は、各チャンネルの垂直同期信号に同期して前記記憶部の割り当てを行う
ことを特徴とする請求項１、５、７、８の何れか一項に記載の映像信号表示装置。
【請求項１５】
前記制御部は、前記記憶部の割り当てを入出力の映像フォーマットによって決定する
ことを特徴とする請求項１、５、７、８の何れか一項に記載の映像信号表示装置。
【請求項１６】
前記制御部は、前記記憶部の割り当てを入出力の映像フォーマットと付加機能のオン、オフとによって決定する
ことを特徴とする請求項１、５、７、８の何れか一項に記載の映像信号表示装置。
【請求項１７】
前記制御部は、モードの切り換わりを入出力の映像フォーマットによって検出する
ことを特徴とする請求項５、７、８の何れか一項に記載の映像信号表示装置。
【発明の詳細な説明】
【技術分野】
【０００１】
本発明は、映像信号表示装置に関し、特に、多画面処理を行う映像信号表示装置に関するものである。
【背景技術】
【０００２】
従来、複数チャンネルを同時に多画面処理する映像信号表示装置用の画像メモリ制御装置として、例えば、特許文献１に記載される技術がある。前記特許文献１記載の技術は、ＬＳＩに内蔵したメモリを幾つかの領域に分割し、映像信号表示装置の表示画面に表示する各チャンネルの画面比率に応じて、各チャンネルでいくつの領域を使用するかを決定して、各チャンネルで用いるメモリの容量を設定するものである。
【特許文献１】特開平１１−２３４５８９号公報
【発明の開示】
【発明が解決しようとする課題】
【０００３】
ところで、映像信号表示装置にＨＤＴＶ映像やＳＤＴＶ映像等、様々なフォーマットでの入出力が想定される場合の映像信号表示装置として図１に示す構成が考えられる。以下、図１を流用して、この映像信号表示装置について説明する。
【０００４】
同図において、入力部１００にはチャンネル１の映像信号が入力され、入力部１０５にはチャンネル２の映像信号が入力され、前記入力部１００、１０５に入力された映像信号を第１フレームメモリ１０１又は第１フレームメモリ１０６に書き込む。前記第１フレームメモリ１０１及び前記第１フレームメモリ１０６に書き込まれた映像信号を走査線ごとに読み出して、ラインメモリ１０２１又はラインメモリ１０２４に書き込み、前記ラインメモリ１０２１及び前記ラインメモリ１０２４の映像信号に対して、映像信号処理部１０３における付加機能処理部１０３１や、映像信号処理部１０７における付加機能処理部１０７１を用いて付加機能処理を加えて、ラインメモリ１０２２又はラインメモリ１０２５に書き込む。その後、前記ラインメモリ１０２２及び前記ラインメモリ１０２５の映像信号に対して、映像信号処理部１０３におけるスケーリング処理部１０３２や、映像信号処理部１０７におけるスケーリング処理部１０７２を用いてスケーリング処理を加えて、ラインメモリ１０２３又はラインメモリ１０２６に書き込み、前記ラインメモリ１０２３及び前記ラインメモリ１０２６の映像信号を読み出して第２フレームメモリ１０４又は第２フレームメモリ１０８に書き込む。表示部１０９は、前記第２フレームメモリ１０４及び前記第２フレームメモリ１０８の映像信号を読み出して、少なくとも１チャンネルの映像を表示する。ここで、各チャンネルの映像信号処理や付加機能処理はそれぞれ非同期で行われ、シンク生成部１１０及びシンク生成部１１１で生成されるタイミングに同期して行われる。制御部１１２は映像信号処理全体を制御する。
【０００５】
しかしながら、上記の映像信号表示装置では、各ラインメモリ１０２１〜１０２６がスケーリング処理前後の水平サイズが最大となる映像を記憶でき且つ付加機能処理をも同時に行い得るメモリ容量を備えている必要があるために、水平サイズが最大でない映像のスケーリング処理を行うと、各ラインメモリ１０２１〜１０２６に未使用領域が発生し、ラインメモリを効率的に利用できない可能性がある。
【０００６】
本発明は、上記の欠点に着目したものであり、記憶部を小容量のもの、即ち、例えばスケーリング処理前後の水平サイズが最大となる映像を記憶できるだけの小容量のもので構成すると共に、この記憶部を複数の領域に分割し、水平サイズが最大の映像のスケーリングを行う場合には、記憶部の全部を用いて、付加機能処理は実行しないこととする一方、水平サイズが最大でない映像のスケーリングを行う場合には、未使用領域が発生するので、この未使用領域を付加機能処理で使用するように割り付けるものである。
【０００７】
ここで、前記のように小容量の記憶部とする場合には、入出力の映像フォーマットや付加機能のオン、オフ等といったモードが切り換わった際に、ラインメモリ１０２に格納した映像信号の書き潰しが発生するときがあることがわかった。例えば、入力が１チャンネルで水平サイズが最大となる映像を１チャンネル表示し、付加機能を使用する場合、制御部１１２は図２の符号Ａに示すように第１のフレームメモリ１０１からの映像信号入力用にラインメモリ１０２１を割り当て、ラインメモリ１０２１の映像信号に対して付加機能処理を加えた映像信号を書き込むための付加機能使用領域にラインメモリ１０２２を割り当て、ラインメモリ１０２２の映像信号に対してスケーリング処理を加えた映像信号を書き込むための出力領域にラインメモリ１０２３を割り当てる。この状態からチャンネル２の映像信号の入力が開始され、水平サイズが最大となる映像の２チャンネル入力に切り換わると、制御部１１２はチャンネル２における垂直同期信号に同期してラインメモリ１０２の割り当てを同図の符号Ｂに示すように切り換える。
【０００８】
単純にチャンネル２の入力開始のタイミングでラインメモリ１０２の割り当てを図２の符号Ａから同図の符号Ｂに切り換えると、各チャンネルへのラインメモリ１０２の割り当てを非同期で行う場合には、チャンネル２の入力映像信号によって、ラインメモリ１０２２が記憶しているチャンネル１の映像信号が同図の符号Ｂの斜線部に示すように書き潰され、表示部１０９で表示される映像が乱れるという問題が発生する。
【０００９】
映像の乱れを防止するために黒画面を表示するという方法もあるが、チャンネル２のモードが切り換わっているにも拘わらず、チャンネル１の映像に黒画面が表示されることは問題である。また、黒画面表示は視聴者に対して不快感を与えるという問題があり、映像品位を落とす可能性がある。
【００１０】
本発明は、前記の課題に着目してなされたものであり、その目的は、ラインメモリの容量を削減すると共に、映像品位を落とすことなく複数チャンネルの映像を同一画面に表示することが可能な映像信号表示装置を提供することにある。更には、上記の目的に加えて、入出力の映像フォーマットや付加機能のオン、オフ等といったモードの切り換え時にも映像信号の書き潰しがないように対策する。
【課題を解決するための手段】
【００１１】
前記の目的を達成するために、本発明では、複数チャンネルで共有可能な記憶部を備えた映像信号表示装置において、まず、映像品位に関わる映像信号処理に対して前記記憶部を割り当て、付加機能処理を行うために必要な残領域が記憶部にあれば、付加機能処理に対して前記記憶部を割り当てる構成を採用する。
【００１２】
具体的に、請求項１記載の発明の映像信号表示装置は、複数チャンネルの映像信号が入力される複数の入力部と、前記複数の入力部に入力された複数チャンネルの映像信号に対して、各々、映像信号処理及び少なくとも１つの付加機能処理を行う複数の映像信号処理部と、前記複数の入力部に入力された各チャンネルの映像信号及び、前記複数の映像信号処理部で処理された各チャンネルの映像信号を記憶し、前記複数チャンネルで共有される記憶部と、少なくとも１チャンネルの映像を出力する表示部と、前記入力部、前記映像信号処理部、前記記憶部、及び前記表示部を制御する制御部とを備え、前記制御部は、前記記憶部を映像信号処理に対して割り当て、この割り当て後に前記記憶部に残領域があり且つこの残領域が前記付加機能処理を行うために必要な残領域以上のとき、前記記憶部を付加機能処理に対して割り当てることを特徴とする。
【００１３】
請求項２記載の発明は、前記請求項１記載の映像信号表示装置において、前記制御部は、付加機能のオン、オフを切り換えることができ、前記映像信号処理部は、付加機能がオフの場合は付加機能処理を行わないことを特徴とする。
【００１４】
請求項３記載の発明は、前記請求項２記載の映像信号表示装置において、前記制御部は、付加機能がオンの場合は付加機能処理に対して前記記憶部を割り当て、付加機能がオフの場合は付加機能処理に対して前記記憶部を割り当てないことを特徴とする。
【００１５】
請求項４記載の発明は、前記請求項３記載の映像信号表示装置において、前記制御部は、モード切り換え時に、前記記憶部を映像信号処理に対して再割り当てを行い、付加機能処理を行うために必要な残領域があれば、前記記憶部を付加機能処理に対して割り当てることを特徴とする。
【００１６】
請求項５記載の発明は、前記請求項４記載の映像信号表示装置において、前記制御部は、モード切り換え時に、付加機能を一時的にオフにすることを特徴とする。
【００１７】
請求項６記載の発明は、前記請求項５記載の映像信号表示装置において、前記制御部は、モード切り換え時に、全てのチャンネルにおける付加機能用の前記記憶部を解放し、解放が完了した時点で、全てのチャンネルにおいて映像信号処理用の前記記憶部の再割り当てを行い、再割り当てが完了した時点で、付加機能処理を行うために必要な残領域があれば、前記記憶部を付加機能処理に対して割り当てることを特徴とする。
【００１８】
請求項７記載の発明は、前記請求項４記載の映像信号表示装置において、前記制御部は、映像信号の入力がないチャンネルにおける前記記憶部を全て解放することを特徴とする。
【００１９】
請求項８記載の発明は、前記請求項３記載の映像信号表示装置において、前記制御部は、付加機能処理用の前記記憶部の領域が不足している場合、付加機能をオフにすることを特徴とする。
【００２０】
請求項９記載の発明は、前記請求項８記載の映像信号表示装置において、前記制御部は、付加機能処理用の前記記憶部の領域が不足しているかどうかを入出力の映像フォーマットによって判断することを特徴とする。
【００２１】
請求項１０記載の発明は、前記請求項１、５、７、８の何れか一項に記載の映像信号表示装置において、前記映像信号処理部は、スケーリング処理及び少なくとも１つの付加機能処理を行うことを特徴とする。
【００２２】
請求項１１記載の発明は、前記請求項１、５、７、８の何れか一項に記載の映像信号表示装置において、記記憶部は、ラインメモリによって構成されることを特徴とする。
【００２３】
請求項１２記載の発明は、前記請求項１、５、７、８の何れか一項に記載の映像信号表示装置において、前記入力部は、入力された映像信号を記憶する第１のフレームメモリを備えることを特徴とする。
【００２４】
請求項１３記載の発明は、前記請求項１２記載の映像信号表示装置において、前記表示部は、映像信号処理後の映像信号を記憶する第２のフレームメモリを備えることを特徴とする。
【００２５】
請求項１４記載の発明は、前記請求項１、５、７、８の何れか一項に記載の映像信号表示装置において、各チャンネルの映像信号処理のタイミングを生成する複数のシンク生成部をさらに備え、前記制御部は、各チャンネルの垂直同期信号に同期して前記記憶部の割り当てを行うことを特徴とする。
【００２６】
請求項１５記載の発明は、前記請求項１、５、７、８の何れか一項に記載の映像信号表示装置において、前記制御部は、前記記憶部の割り当てを入出力の映像フォーマットによって決定することを特徴とする。
【００２７】
請求項１６記載の発明は、前記請求項１、５、７、８の何れか一項に記載の映像信号表示装置において、前記制御部は、前記記憶部の割り当てを入出力の映像フォーマットと付加機能のオン、オフとによって決定することを特徴とする。
【００２８】
請求項１７記載の発明は、前記請求項５、７、８の何れか一項に記載の映像信号表示装置において、前記制御部は、モードの切り換わりを入出力の映像フォーマットによって検出することを特徴とする。
【００２９】
以上により、請求項１〜１７記載の発明では、映像信号の表示に際して、まずは、映像品位に関わる映像信号処理に対して記憶部を割り当てるので、スケーリング処理前後の水平サイズが最大となる映像の記憶、処理、表示が確保される。一方、水平サイズが最大でない映像信号の記憶、スケーリングに際しては、記憶部に未使用領域である残領域が生じ、この残領域が付加機能の処理に割り当てられる。したがって、記憶部を小容量のもので構成しながら、映像フォーマットや付加機能のオン、オフ等といったモードの切り換わり時に多画面の出力映像の映像品位を保証することができると共に、できる限り付加機能処理をも行うことが可能である。
【発明の効果】
【００３０】
以上説明したように、請求項１〜１７記載の発明の映像信号表示装置によれば、映像フォーマットや付加機能のオン、オフ等といったモードの切り換わり時に、表示される出力映像の映像品位を保証することが可能であると共に、記憶部の容量を削減することが可能となる。
【発明を実施するための最良の形態】
【００３１】
以下、本発明の実施形態の映像信号表示装置を図面に基づいて説明する。
【００３２】
（実施の形態１）
図１は、本発明の実施形態における映像信号表示装置の全体構成のブロック図である。同図は、入力及び出力が２チャンネルの場合のブロック図であるが、入力及び出力が２チャンネル以上の複数チャンネルであってもよく、入力のチャンネル数と出力のチャンネル数とは一致していなくてもよい。
【００３３】
同図において、入力部１００にはチャンネル１の映像信号が入力され、入力部１０５にはチャンネル２の映像信号が入力される。前記入力部１００、１０５は、チューナによるＴＶ放送受信であっても、外部機器によるものであってもよく、特に指定はしない。
【００３４】
フレームメモリ１０１及びフレームメモリ１０６は、入力部１００又は入力部１０５からの映像信号を書き込む。ラインメモリ１０２は、フレームメモリ１０１及びフレームメモリ１０６から読み出された映像信号を、ライン単位で、ラインメモリ１０２を分割したラインメモリ１０２１又はラインメモリ１０２４に記憶する。ラインメモリ１０２は複数のチャンネルで共有可能であり、特にチャンネルによる使用領域の指定はしない。同図において、ラインメモリ１０２は、ラインメモリ１０２１及びラインメモリ１０２２及びラインメモリ１０２３及びラインメモリ１０２４及びラインメモリ１０２５及びラインメモリ１０２６に分割される。また、ラインメモリ１０２の容量は特に指定しないが、本実施形態では、ＨＤＴＶ映像に対するスケーリング処理を行うために最小限必要となる容量を備えており、処理している映像信号はチャンネル１及びチャンネル２共にＳＤＴＶ映像であり、付加機能を使用している。
【００３５】
映像信号処理部１０３及び映像処理部１０７は、ラインメモリ１０２１又はラインメモリ１０２４の映像信号に対して映像信号処理を行う。映像信号処理部１０３は、付加機能処理部１０３１及びスケーリング処理部１０３２から構成され、映像信号処理部１０７は、付加機能処理部１０７１及びスケーリング処理部１０７２から構成される。
【００３６】
付加機能に関しては、１つでなくてもよく、特に付加機能数の指定はしない。また、ノイズリダクションや特徴量抽出、字幕表示等どのような機能であってもよく、機能の指定はしない。スケーリング処理に関しては、水平処理であっても垂直処理であってもよいし、水平及び垂直の両方に対するスケーリング処理であってもよく、拡大、縮小、倍速変換等様々なスケーリング処理が考えられるが、処理内容に関して特に指定はしない。また、スケーリング処理の順序に関する指定はしない。ここで、映像信号処理部１０３、１０７において、スケーリング処理を行った後に付加機能処理を行ってもよく、付加機能処理及びスケーリング処理の順序に関して特に指定はしない。
【００３７】
付加機能処理部１０３１及び付加機能処理部１０７１は、ラインメモリ１０２１又はラインメモリ１０２４の映像信号に対して付加機能処理を行い、処理結果をラインメモリ１０２２又はラインメモリ１０２５に書き込む。付加機能処理に関して、必ずしもラインメモリ１０２１又はラインメモリ１０２４の映像信号に対して付加機能処理を行い、処理結果をラインメモリ１０２２又はラインメモリ１０２５に書き込むといった画質改善処理である必要はなく、単にフレームメモリ１０１及びフレームメモリ１０６の字幕信号をラインメモリ１０２２及びラインメモリ１０２５に読み出し、表示部１０９において映像信号に対して合成するといったものでもよい。
【００３８】
スケーリング処理部１０３２及びスケーリング処理部１０７２は、ラインメモリ１０２２又はラインメモリ１０２５の映像信号に対してスケーリング処理を行い、ラインメモリ１０２３又はラインメモリ１０２６にスケーリング処理結果を書き込む。スケーリング処理を行う際に、付加機能が未使用である場合や、付加機能がラインメモリ１０２１又はラインメモリ１０２４を用いた画質改善機能でない場合には、スケーリング処理部１０３２及びスケーリング処理部１０７２は、ラインメモリ１０２１又はラインメモリ１０２４の映像信号に対してスケーリング処理を行い、ラインメモリ１０２３又はラインメモリ１０２６にスケーリング処理結果を書き込む。
【００３９】
フレームメモリ１０４及びフレームメモリ１０８は第２のフレームメモリであり、ラインメモリ１０２３又はラインメモリ１０２６からの映像信号を書き込む。表示部１０９は、フレームメモリ１０４及びフレームメモリ１０８からの映像信号を合成し、表示画面に表示する。ここで、前記表示部１０９に表示される表示チャンネル数は１チャンネル以上である。
【００４０】
シンク生成部１１０及びシンク生成部１１１は、各チャンネルにおける映像信号処理のタイミングを生成する。
【００４１】
制御部１１２は、ラインメモリ制御部１１２２、モード検出部１１２３、付加機能制御部１１２１、及びＤＭＡ制御部１１２４を備え、ラインメモリ１０２をラインメモリ１０２１及びラインメモリ１０２２及びラインメモリ１０２３及びラインメモリ１０２４及びラインメモリ１０２５及びラインメモリ１０２６に分割するといったラインメモリの割り当ての制御や、各チャンネルの入力部や表示部１０９におけるＨＤＴＶ映像、ＳＤＴＶ映像等の映像フォーマットを検出するといったモード検出や、付加機能を有効にするか無効にするかといった付加機能オンオフ制御や、メモリからメモリへの映像信号の転送を行うＤＭＡ制御や、各制御を組み合わせて、ラインメモリの割り当てを入出力の映像フォーマットや付加機能のオンオフによって決定する制御等、全体制御を行う。
【００４２】
制御部１１２によるラインメモリ割り当て方法に関して、まずはスケーリング処理に対してラインメモリ１０２を割り当て、ラインメモリに付加機能処理を実現できるだけの残領域があれば付加機能処理に対してラインメモリ１０２を割り当てる。前記制御部１１２は付加機能のオンオフを制御することができ、付加機能がオンの場合は付加機能処理用にラインメモリ１０２を割り当てるが、付加機能がオフの場合は付加機能処理を行わないので付加機能処理用にラインメモリ１０２を割り当てることはしない。また、制御部はラインメモリ１０２に付加機能処理を実現できるだけの残領域があるかどうかを各チャンネルの入出力の映像フォーマット、例えば、各チャンネルで処理する映像信号がＨＤＴＶ映像であるかＳＤＴＶ映像であるかによって判断する。ここで、制御部１１２はラインメモリに１０２付加機能処理を実現できるだけの残領域がないと判断した場合は、付加機能処理によるスケーリング処理用のラインメモリの書き潰しを防ぐために、付加機能の強制的にオフにする。
【００４３】
次に、本発明による映像信号表示装置の動作を説明する。
【００４４】
例えば、入力が１チャンネルでＨＤＴＶ映像を１チャンネル表示し、付加機能を使用する場合、制御部１１２は図２の符号Ａに示すように第１のフレームメモリ１０１からの映像信号入力用にラインメモリ１０２１を割り当て、ラインメモリ１０２１の映像信号に対して付加機能処理を加えた映像信号を書き込むための付加機能使用領域にラインメモリ１０２２を割り当て、ラインメモリ１０２２の映像信号に対してスケーリング処理を加えた映像信号を書き込むための出力領域にラインメモリ１０２３を割り当てる。この状態からＨＤＴＶ映像の２チャンネル入力に切り換わると、制御部１１２はラインメモリ１０２の割り当てを同図の符号Ｂに示すように切り換える。しかしながら、単純にチャンネル２の入力開始のタイミングでラインメモリ１０２の割り当てを切り換えると、チャンネル１とチャンネル２のラインメモリ１０２の割り当てがそれぞれ非同期で行われるならば、チャンネル２の入力映像信号によって、ラインメモリ１０２２が記憶しているチャンネル１の映像信号が同図の符号Ｂの斜線部で示されるように書き潰され、表示部１０９で表示される映像が乱れるという問題が発生する。映像の乱れを防止するために黒画面を表示するという方法もあるが、チャンネル２のモードが切り換わっているにも拘わらず、チャンネル１の映像に黒画面が表示されることは問題である。また、黒画面表示は視聴者に対して不快感を与えるという問題があり、映像品位を落とすことになる。
【００４５】
図３は、本発明の映像信号表示装置におけるラインメモリの割り当て動作の模式図を示している。同図のラインメモリ１０２の割り当てに関して、各チャンネルにおいて、入力、出力、付加機能をどの領域に割り当ててもよく、それぞれの映像信号がどの領域に割り当てられているかは特に指定しない。
【００４６】
同図の垂直同期信号３０１から垂直同期信号３０２までの期間は、入力が１チャンネルでＨＤＴＶ映像を１チャンネル表示し、付加機能を使用している状態である。チャンネル２の入力映像はない状態であり、チャンネル１の映像信号処理及びチャンネル２の映像信号処理は非同期である。この場合、垂直同期信号３０１に同期して制御部１１２はラインメモリ１０２を同図の符号Ａで示すように割り当てる。
【００４７】
垂直同期信号３０４から垂直同期信号３０５の期間に関してもチャンネル２の入力映像信号はまだない状態であり、制御部１１２はラインメモリ１０２を同図の符号Ａで示す如くに割り当てる。
【００４８】
垂直同期信号３０５に同期してチャンネル２のＨＤＴＶ映像の入力が開始され、制御部１１２はチャンネル２のスケーリング処理に対するラインメモリ１０２の再割り当てを行うので、垂直同期信号３０２に同期して、制御部１１２は同図の符号Ｂに示すようにチャンネル２のスケーリング処理に対するラインメモリ１０２の再割り当てを行う前にチャンネル１における付加機能処理をオフにし、ラインメモリ１０２におけるチャンネル１の付加機能使用領域を解放し、この領域にチャンネル１の映像信号を書き込まないようにする。
【００４９】
次に、垂直同期信号３０５に同期して制御部１１２はチャンネル２のスケーリング処理に対してラインメモリ１０２を同図の符号Ｃに示すように割り当てる。この時点では付加機能を実現するためのラインメモリ１０２における未使用領域が存在しないため、付加機能はオフとしておく。
【００５０】
垂直同期信号３０３に同期してチャンネル１側の映像フォーマットがＨＤＴＶ映像からＳＤＴＶ映像に切り換わり、制御部１１２はチャンネル１のスケーリング処理に対してラインメモリ１０２を同図の符号Ｄに示すように割り当てる。これにより、ラインメモリ１０２における未使用領域ができる。
【００５１】
その後、垂直同期信号３０６に同期して、制御部１１２はチャンネル２において付加機能を使用する場合は付加機能をオンにし、ラインメモリ１０２をチャンネル２の付加機能処理に対して同図の符号Ｅに示すように割り当てる。
【００５２】
上記の図３の符号Ａ〜同図の符号Ｅのように各チャンネルの垂直同期信号に同期してラインメモリ１０２の割り当てを変化させていくことにより、映像信号の書き潰しを発生させることなくラインメモリ１０２の割り当てを切り換えることができる。なお、図３において、同図の符号Ａは入力が１チャンネルでＨＤＴＶ映像を１チャンネル表示し、付加機能を使用する場合を例としているが、ＳＤＴＶ映像の場合であっても同図の符号Ａと同じようにラインメモリ１０２を割り当ててもよい。こうすることにより、ラインメモリの割り当てパターン数をより少なくすることが可能となり、制御部１１２による制御が容易となる。
【００５３】
（実施の形態２）
図４は、本発明の映像信号表示装置におけるラインメモリの他の割り当て動作の模式図を示している。
【００５４】
同図において、入力映像がチャンネル１はＨＤＴＶ映像であり、チャンネル２はＳＤＴＶ映像であり、入力又は出力の映像フォーマットが切り換わった場合のラインメモリ１０２の割り当てを切り換える方法の一例に関して説明する。
【００５５】
同図の垂直同期信号４０１から垂直同期信号４０２までの期間は入力映像を２チャンネル表示し、各チャンネルにおいて付加機能を使用している状態である。また、チャンネル１の映像信号処理及びチャンネル２の映像信号処理は非同期である。
【００５６】
垂直同期信号４０１に同期して制御部１０２は同図の符号Ａに示すようにスケーリング処理及び付加機能処理に対してラインメモリ１０２を割り当てる。垂直同期信号４０４から垂直同期信号４０５までの期間はモードの切り換わりはなく、ラインメモリの割り当ては同図の符号Ａのままである。
【００５７】
次に、同図の符号Ｂに示すように垂直同期信号４０２に同期してチャンネル１の入力映像フォーマットがＨＤＴＶ映像からＳＤＴＶ映像に切り換わり、制御部１１２はチャンネル１のスケーリング処理に対してラインメモリ１０２の再割り当てを行う。また、チャンネル１の付加機能処理用の領域が確保できる場合は付加機能処理に対してラインメモリ１０２を割り当てる。その後は各チャンネルにおけるモードの切り換わりはなく、ラインメモリの割り当ては同図の符号Ｂのままである。
【００５８】
上記に示すように、モード切り換えの際に必ず付加機能処理用のラインメモリを解放しなければならないということはなく、ラインメモリの書き潰しが発生しないモード切り換えの場合は、付加機能を一時的に使用できなくなるため、付加機能処理用のラインメモリの解放を行わない方がよい。
【産業上の利用可能性】
【００５９】
以上説明したように、本発明は、表示される出力映像の映像品位を保証することが可能であると共に、記憶部の容量を削減することが可能となるので、特に、ＢＤ録画・再生機や、ＤＶＤ録画・再生機や、ＨＤＤ録画・再生機等の映像信号表示装置等として有用である。
【図面の簡単な説明】
【００６０】
【図１】本発明の実施形態の映像信号表示装置の全体構成を示すブロック図である。
【図２】ラインメモリの書き潰しを示す模式図である。
【図３】本発明の映像信号表示装置におけるラインメモリの割り当て動作を示した模式図である。
【図４】本発明の映像信号表示装置におけるラインメモリの他の割り当て動作を示した模式図である。
【符号の説明】
【００６１】
１００、１０５                                    入力部
１０１、１０６                                    第１フレームメモリ
１０２、１０２１、１０２２、
１０２３、１０２４、１０２５、１０２６      ラインメモリ
１０３、１０７                                    映像信号処理部
１０３１、１０７１                                付加機能処理部
１０３２、１０７２                                スケーリング処理部
１０４、１０８                                    第２フレームメモリ部
１０９                                            表示部
１１０、１１１                                    シンク生成部
１１２                                            制御部
１１２１                                          付加機能制御部
１１２２                                          ラインメモリ制御部
１１２３                                          モード検出部
１１２４                                          ＤＭＡ制御部
３０１、３０２、３０３、３０４、３０５、３０６    垂直同期信号
４０１、４０２、４０３、４０４、４０５、４０６    垂直同期信号
【図１】
2007286167.tif 000003
【図２】
2007286167.tif 000004
【図３】
2007286167.tif 000005
【図４】
2007286167.tif 000006